(57)【要約】  本発明は、生体適合性の鋭いもしくは尖った加熱先端部を有する物体（２）を備え、かつ少なくとも１種の強磁性体、物体（２）の加熱先端部の温度の上昇を引き起こすために強磁性体の磁場を導くことができる磁場発生器（３）、および物体（２）の加熱先端部の温度を制御するための装置（４）を備える装置（１）に関する。本発明は、しわ、目の周りのクマおよびセルライトの治療における本装置の美容的使用にも関する。最後に、本発明は静脈瘤の治療および／または脊椎痛の症状に関連する症候群およびこれらの様々な症状に関連する疼痛、特に腰痛または慢性頚部痛および関連する投射痛の治療における本装置の使用に関する。【選択図】図２
2021530336.tif 000002
【特許請求の範囲】
【請求項１】
−少なくとも１種の強磁性体（９）を含む、生体適合性の尖った鋭い先端部または加熱先端部を含む物体（２）、
−前記物体（２）の前記加熱先端部の温度の上昇を引き起こすために前記強磁性体の磁場を導くのに適した磁場発生器（３）、および
−前記物体（２）の前記加熱先端部の温度を制御するための装置（４）
を備え、
前記磁場発生器（３）が前記物体（２）が垂直に通される開口部を含む円筒体の形状を有することを特徴とする装置（１）。
【請求項２】
前記磁場発生器（３）は、前記物体（２）が垂直に通される開口部を含む皮膚（５）に配置するのを目的とした中空の円筒状ローラーの形状を有することを特徴とする、請求項１に記載の装置（１）。
【請求項３】
前記磁場発生器（３）は絶縁材で作られたシェルから形成されていることを特徴とする、請求項１または請求項２に記載の装置（１）。
【請求項４】
前記磁場発生器（３）は伝導体で作られたシェルから形成されており、好ましくは伝導体で作られたシェルから形成されていることを特徴とする、請求項２に記載の装置（１）。
【請求項５】
前記磁場発生器（３）は、１０ｍｍ〜１００ｍｍ、好ましくは２０ｍｍ〜８０ｍｍの範囲の直径、および０．１ｍｍ〜５０ｍｍ、好ましくは０．５ｍｍ〜２５ｍｍの範囲の厚さを有することを特徴とする、請求項１〜４のいずれかに記載の装置（１）。
【請求項６】
前記磁場発生器（３）の前記開口部は０．１ｍｍ〜１０ｍｍ、好ましくは０．１ｍｍ〜５ｍｍの範囲の直径を有することを特徴とする、請求項１〜４のいずれかに記載の装置（１）。
【請求項７】
前記物体（２）の前記先端部は鋭く、かつ好ましくはメスの刃であることを特徴とする、請求項１〜６のいずれかに記載の装置（１）。
【請求項８】
前記物体（２）の前記先端部は尖っていて円筒状であり、好ましくは針、特に刺鍼法針であることを特徴とする、請求項１〜６のいずれかに記載の装置（１）。
【請求項９】
前記強磁性体（９）は前記物体（２）全体に存在することを特徴とする、請求項１〜７のいずれかに記載の装置（１）。
【請求項１０】
前記物体（２）は少なくとも部分的に絶縁材（１０）の層で覆われており、好ましくは前記加熱先端部を除いて絶縁材（１０）の層で全体が覆われていることを特徴とする、請求項１〜８のいずれかに記載の装置（１）。
【請求項１１】
前記物体が垂直に通される開口部を含む前記皮膚（５）に配置するのを目的とした断熱性もしくは加熱性ディスク（６）をさらに備えることを特徴とする、請求項１〜９のいずれかに記載の装置（１）。
【請求項１２】
前記磁場発生器は磁場を前記物体の長手軸に沿って導くように配置されたフェライトをさらに含むことを特徴とする、請求項１〜１０のいずれかに記載の装置（１）。
【請求項１３】
前記温度を制御するための装置（４）は前記磁場発生器（３）に接続されており、かつ
ａ．前記物体（２）の前記先端部の温度を表示するための装置（１２）、
ｂ．設定値温度を決定するための手段（１３）、および
ｃ．前記物体の前記先端部の温度が前記設定値温度に等しくなるように前記磁場発生器を制御するための装置
を備えることを特徴とする、請求項１〜１１のいずれかに記載の装置（１）。
【請求項１４】
前記強磁性体（９）は鋼から選択され、好ましくはフェライト系ステンレス鋼、マルテンサイト系ステンレス鋼およびこれらの鋼の混合物から選択され、より好ましくはマルテンサイト系ステンレス鋼４２０、マルテンサイト系ステンレス鋼４１６、フェライト系ステンレス鋼４３０およびこれらの鋼の混合物から選択され、特に前記強磁性体はマルテンサイト系ステンレス鋼４２０であることを特徴とする、請求項１〜１２のいずれかに記載の装置（１）。
【請求項１５】
前記物体（２）の前記先端部は少なくとも部分的に生体適合性材料（１１）で覆われており、好ましくは前記生体適合性材料はシリコーン、ポリテトラフルオロエチレン（テフロン）および親水性ポリマーから選択され、かつ好ましくはシリコーンであることを特徴とする、請求項１〜１３のいずれかに記載の装置（１）。
【発明の詳細な説明】
【技術分野】
【０００１】
本発明は医学、特に従来の中国医学において治療手段として灸療法が適応となるどんな生理病理学的臨床設定であっても、刺鍼法または灸療法などの従来の治療で使用することができる生体適合性の尖った鋭い加熱先端部を有する物体を備えた装置に関する。
【０００２】
本発明は特に小じわ、クマおよび表面のセルライトの美容治療または静脈瘤の治療および／または脊椎痛臨床設定に関連する症候群およびこれらの各種臨床設定に関連する疼痛、特に腰痛または慢性頚部痛およびそれらの投射痛の治療で使用することができる。
【背景技術】
【０００３】
刺鍼法または灸療法は伝統的な中国医学と関連している伝統的な治療技術である。刺鍼法は程度の差こそあれ細い針を用いる、「ツボ」と呼ばれる皮膚（真皮、表皮、皮下組織）の正確な領域の刺激からなる。灸療法はツボの熱による刺激からなる。これらの技術は多くの用途、特に関節障害、皮膚炎、急性もしくは慢性痛などの多くの障害の治療またはサポートのために使用することができる。
【０００４】
これらの従来の技術の使用は時として欠点を有する。特に灸療法の場合、一方では皮膚を熱傷させる高いリスクが存在し、他方では有害であり得る相当かつ不快な煙の放出が存在する。さらにこの技術は、加熱される領域の温度を正確に制御することができない。
【０００５】
最後に灸療法は、吸煙フードが利用可能でない限り、あるいは有毒であり得るどんな煙も放出しないモグサを使用しない限り、煙の放出が原因で閉鎖空間（例えば職場または軌道ステーション）では使用することはできない。
【０００６】
従って、安全で信頼でき、かつ実用的な使用を保証するために、この技術を変える必要がある。
【０００７】
国際公開第９５／２０９３５号明細書は、外部熱源と、針の長さ全体にわたって熱導体の形態でその針の中に組み込まれている加熱するための手段とを備えた加熱刺鍼法針を提案している。針の上部にある加熱システムのおかげで熱の印加により、加熱システムに沿った針の先端部への熱伝導による移動およびこの針の長さ全体にわたってこの針を通るこの熱の放射が得られる。
【０００８】
この技術の第１の欠点は、それがいくつかの連続した層を含む針を強要するため製造が難しいという点にある。第２の欠点は、加熱する手段を形成するために実現される各種層は、熱または電気の繰り返しの印加により、その使用に対して危険性を示す短絡のリスクにより急速に劣化する可能性があるという点にある。最後に、この技術は当該針の先端部における温度の正確な制御を可能にしない。
【０００９】
中国特許第２０２７６１６８号明細書は、温度を誘導により制御する灸療法システムについて記載している。但しこの明細書は、「外部」灸療法、すなわち皮膚の表面でのみ使用するものに関する。従って体内に印加される温度を正確に制御する方法は存在しない。
【００１０】
従って、従来の技術を改良することを可能にする新しい加熱装置が必要とされている。
【発明の概要】
【００１１】
本発明は、生体適合性の尖った鋭い加熱先端部を含む物体を備え、かつ少なくとも１種の強磁性体、当該物体の加熱先端部の温度の上昇を引き起こすために強磁性体の磁場を導くのに適した磁場発生器、および当該物体の加熱先端部の温度を制御するための装置を備えた装置からなる。前記磁場発生器は前記物体が垂直に通される開口部を含む円筒体の形状を有する。
【００１２】
本発明に係る装置は、温度を制御するための装置により当該物体の加熱先端部の温度の正確かつ安全な制御を得ることを可能にする。従って当該物体の先端部の温度を実施者によって設定された設定値温度に完全に校正することができる。さらに、本発明に係る装置は製造および実装が容易である。
【００１３】
一実施形態では、前記磁場発生器は、前記物体が垂直に通される開口部を含む皮膚に配置するのを目的とした断熱性もしくは加熱性の円筒状ローラーの形状を有する。
【００１４】
一実施形態では、前記磁場発生器は絶縁材で作られたシェルから形成されている。
【００１５】
一実施形態では、前記磁場発生器は伝導体で作られたシェルから形成されており、好ましくは伝導体で作られたシェルから形成されている。
【００１６】
一実施形態では、前記磁場発生器は１０ｍｍ〜１００ｍｍ、好ましくは２０ｍｍ〜８０ｍｍの範囲の直径を有する。
【００１７】
一実施形態では、前記磁場発生器は０．１ｍｍ〜５０ｍｍ、好ましくは０．５ｍｍ〜２５ｍｍの範囲の厚さを有する。
【００１８】
一実施形態では、前記磁場発生器の前記開口部は０．１ｍｍ〜１０ｍｍ、好ましくは０．１ｍｍ〜５ｍｍの範囲の直径を有する。
【００１９】
一実施形態では、当該物体の先端部は鋭い。一実施形態では、当該物体の先端部はメスの刃である。
【００２０】
一実施形態では、当該物体の先端部は尖っていて円筒状である。一実施形態では、当該物体の先端部は針である。一実施形態では、当該物体の先端部は刺鍼法針である。
【００２１】
一実施形態では、強磁性体は当該物体全体に存在している。
【００２２】
一実施形態では、当該物体は少なくとも部分的に絶縁材の層で覆われており、好ましくは加熱先端部を除いて絶縁材の層で全体が覆われている。
【００２３】
一実施形態では、当該物体は、当該物体が垂直に通される開口部を含む皮膚に配置するのを目的とした断熱性もしくは加熱性ディスクをさらに備える。
【００２４】
一実施形態では、前記磁場発生器は、磁場を当該物体の長手軸に沿って導くように配置されたフェライトをさらに含む。
【００２５】
一実施形態では、本発明の装置の温度を制御するための装置は、前記磁場発生器に接続されており、かつａ）当該物体の先端部の温度を表示するための装置、ｂ）設定値温度を決定するための手段、およびｃ）当該物体の先端部の温度が設定値温度に等しくなるように前記磁場発生器を制御するための装置を備える。
【００２６】
一実施形態では、強磁性体は鋼から選択され、好ましくはフェライト系ステンレス鋼、マルテンサイト系ステンレス鋼およびこれらの鋼の混合物から選択され、より好ましくはマルテンサイト系ステンレス鋼４２０、マルテンサイト系ステンレス鋼４１６、フェライト系ステンレス鋼４３０およびこれらの鋼の混合物から選択され、特に強磁性体はマルテンサイト系ステンレス鋼４２０である。
【００２７】
一実施形態では、当該物体の先端部は少なくとも部分的に生体適合性材料で覆われており、より好ましくは生体適合性材料はシリコーン、ポリテトラフルオロエチレン（テフロン）および親水性ポリマーから選択され、より好ましくはシリコーンである。
【００２８】
定義
本発明では、以下の用語は以下のように定義される。
【００２９】
「生体適合性」は、所与の生物に接触している場合に前記生物において免疫応答をほとんどまたは全く引き起こさない材料の性質を意味する。
【００３０】
「投射痛」は、原因となる病変部から離れて感じる疼痛を意味する。従って投射痛が病態と関連している場合、この疼痛は当該病態の位置に局所化されていないがこの病態に起因している。
【００３１】
数の前に置かれた「約」はこの数の名目上の値の±１０％を意味する。
【００３２】
「フェライト」は、炭素と鉄の同素体αとの固体混合物を意味するか、鉄の同素体αを意味する。
【００３３】
「強磁性」は、永久磁石を形成するか磁石によって引きつけられる材料の性質を意味する。
【００３４】
「絶縁材」は、熱的または電気的に、より好ましくは熱的に伝導性の領域の接触面を熱的または電気的に、より好ましくは熱的に絶縁するのを可能にする材料を意味する。
【図面の簡単な説明】
【００３５】
【図１】本発明の一実施形態に係る装置１の図である。本実施形態では、加熱先端部２を含む物体はメスである。
【図２】本発明の別の実施形態に係る装置１の図である。本実施形態では、加熱先端部２を含む物体は刺鍼法針である。
【図３】本発明の別の実施形態に係る装置１の図である。本実施形態では、加熱先端部２を含む物体は刺鍼法針である。本実施形態では、磁場発生器３は物体２が垂直に通される開口部を含む皮膚に置かれる円筒状ローラーの形状を有する。
【図４】本発明の別の実施形態に係る装置１の図である。本実施形態では、加熱先端部２を含む物体は刺鍼法針であり、かつ加熱先端部を含む物体と温度を制御するための装置４との接続は例えばブルートゥースまたはＷｉ−Ｆｉ接続などの無線接続によって行われ、これは本装置を吸引カップによる治療に追加するのを可能にする。
【図５】本発明の別の実施形態に係る装置１の図である。本実施形態では、本装置は物体２が垂直に通される開口部を含む皮膚に置かれるディスク６をさらに備える。
【図６】本発明の別の実施形態に係る装置１の図である。本実施形態では、磁場発生器３は磁場を物体２の長手軸に沿って導くように配置されたフェライト７をさらに含む。
【図７】本発明の別の実施形態に係る装置１の図である。本実施形態では、磁場発生器３は物体２が垂直に通される開口部を含む皮膚に置かれる円筒状ローラーの形状を有し、かつ磁場を物体２の長手軸に沿って導くように配置されたフェライト７をさらに含む。
【図８】図６の装置１の水平断面図である。
【図９】本発明の別の実施形態に係る装置１の図である。本実施形態では、加熱先端部２を含む物体はメスであり、かつ物体２全体に（従って加熱先端部内にも）強磁性体９を含む。物体２は少なくとも部分的に絶縁材１０の層で覆われており、好ましくは加熱先端部を除いて絶縁材１０の層で全体が覆われている。
【図１０】本発明の別の実施形態に係る装置１の物体２の加熱先端部の図である。本実施形態では、物体２の先端部は強磁性体９を含み、かつ生体適合性材料１１で覆われている。
【図１１】本発明の別の実施形態に係る装置１の物体２の図である。本実施形態では、強磁性体は物体２全体に含まれている。物体２は少なくとも部分的に絶縁材１０の層で覆われており、好ましくは加熱先端部を除いて絶縁材１０の層で全体が覆われている。物体２は全体が生体適合性材料１１で覆われている。
【図１２】本発明の別の実施形態に係る装置１の温度を制御するための装置４の図である。本実施形態では、温度を制御するための装置は、物体１２の先端部の温度および設定値温度を表示するための装置１５、設定値温度を決定するための手段１３およびスイッチ１４を備える。
【発明を実施するための形態】
【００３６】
以下の説明は図面と共に読んだ場合により良く理解されるはずである。本発明を例示するために、本装置は好ましい実施形態で示されている。但し本出願は、示されている配置、構造、特性、実施形態および正確な外観に限定されないことを理解すべきである。図面は縮尺どおりではなく、特許請求の範囲をこれらの図面に示されている実施形態に限定することを意図するものではない。従って特許請求の範囲で言及されている特性が符号の後に記載されている場合、前記符号は単に特許請求の範囲の理解を高めるために含まれており、これらの特許請求の範囲を決して限定しないことを理解すべきである。
【００３７】
図
図１および図９は、装置１がメスの刃などの生体適合性の鋭い加熱先端部を含み、かつ図１に示されていない少なくとも１種の強磁性体９を含む物体２を備えた本発明に係る実施形態を示す。本装置は、物体２の加熱先端部の温度の上昇を引き起こすために強磁性体の磁場を導くのに適した磁場発生器３、および物体２の加熱先端部の温度を制御するための装置４も備える。温度を制御するための装置４は電流を供給することにより磁場発生器３に対して作用する。この電流は磁場を生成する。このように生成された磁場は物体２、より好ましくは物体２全体に含まれている強磁性体９（図１には示されていない）の粒子を配向し、かつこのようにして物体２の内部全体の温度の上昇を引き起こす。物体２の先端部の温度は、例えば温度計または熱電対（ここには示されていない）、温度を制御するための装置４によって制御することができ、このようにして磁場発生器３に提供される電流を変更する。図９に示すように、物体２は少なくとも部分的に絶縁材１０の層で覆われており、好ましくは加熱先端部を除いて絶縁材１０の層で全体が覆われている。この絶縁材は全ての既存の絶縁材から選択することができ、特にプラスチック材料から選択することができる。この絶縁材は先端部以外の物体２の残りの部分を熱的に絶縁するのを可能にする。従って物体２の先端部のみが熱くなり、物体２全体は熱くならない。物体２の残りの部分と接触する可能性がある皮膚および臓器は加熱されない。
【００３８】
図２、図３、図４、図５、図６、図７および図８は、装置１が刺鍼法針などの生体適合性の尖った加熱先端部を含み、かつこれらの図には示されていない少なくとも１種の強磁性体９を含む物体２を備えた本発明に係る実施形態を示す。これらの実施形態では、本装置は、物体２の加熱先端部の温度の上昇を引き起こすために強磁性体の磁場を導くのに適した磁場発生器３、および物体２の加熱先端部の温度を制御するための装置４も備える。一実施形態では、磁場発生器３は物体２に固定されていない。温度を制御するための装置４は電流を供給することにより磁場発生器３に対して作用する。この電流は磁場を生成する。このように生成された磁場は物体２、より好ましくは物体２全体に含まれている強磁性体９（ここには示されていない）の粒子を配向し、かつ従って物体２の内部全体の温度の上昇を引き起こす。物体２の先端部の温度は、例えば温度計または熱電対（ここには示されていない）、温度を制御するための装置４によって制御することができ、このようにして磁場発生器３に提供される電流を変更する。
【００３９】
図３は、装置１の磁場発生器３が物体２が垂直に通される開口部を含む皮膚５に配置するのを目的とした円筒状ローラーの形状を有する本発明に係る一実施形態を示す。一実施形態では、前記ローラーは絶縁性であり、すなわちそれは一般に、プラスチック材料、ガラスまたはアルミニウムで作られたシェルなどの絶縁材で作られたシェルから形成されている。別の実施形態では、前記ローラーは加熱性であり、すなわちそれは一般に伝導性金属などの伝導体で作られたシェルから形成されている。本実施形態では、前記ローラーのシェルを形成している伝導体は好ましくは物体２の加熱先端部のものと同じである。前記ローラーが加熱性である場合、前記ローラーのシェルに含まれている強磁性体９（ここには示されていない）の粒子を配向する生成された磁場のおかげでそれを加熱することができる。絶縁材で作られたシェルから形成されている前記ローラーの使用は、例えば局所治療のために皮膚を加熱せず、かつ加熱を物体２の加熱先端部のみに集中するのを可能にする。伝導体で作られたシェルから形成されている前記ローラーの使用は、例えば非局所治療のために皮膚を加熱するのを可能にする。
【００４０】
図４は、物体２および磁場発生器３が無線接続によって温度を制御するための装置４に接続されている本発明に係る一実施形態を示す。この無線接続は例えばブルートゥース接続またはＷｉ−Ｆｉ接続であってもよく、これは本装置を吸引カップによる治療に追加するのを可能にする。
【００４１】
図５は、装置１が物体２が垂直に通される開口部を含む皮膚５に配置するのを目的とした断熱性もしくは加熱性ディスク６をさらに備える本発明に係る一実施形態を示す。一実施形態では、ディスク６は絶縁性であり、すなわちそれは一般にプラスチック材料またはガラスなどの絶縁材から形成されている。別の実施形態では、ディスク６は加熱性であり、すなわちそれは一般に伝導性金属などの伝導体から形成されている。本実施形態では、当該ディスクを形成している伝導体は好ましくは物体２の加熱先端部のものと同じである。ディスク６が加熱性である場合、それは２つの方法で、すなわち例えば加熱システムにより物体２の加熱先端部とは独立して、あるいは伝導による伝熱によって物体２により加熱することができる。絶縁性ディスク６のさらなる使用は、例えば局所治療のために皮膚を加熱せず、かつ加熱を物体２の加熱先端部のみに集中するのを可能にする。加熱性ディスク６のさらなる使用は、例えば非局所治療のために皮膚を加熱するのを可能にする。
【００４２】
図６および図７は、装置１の磁場発生器３が磁場を物体２の長手軸に沿って導くように配置されたフェライト７をさらに含む本発明に係る一実施形態を示す。フェライト７の使用は、磁場発生器３によって生成された磁場を加熱物体２の先端部に導くという利点を有する。これは特に、加熱物体２の先端部によって達せられる温度を微細に制御するのを可能にする。
【００４３】
図８は、図５および図７に記載されているような実施形態を水平断面として示す。フェライト７は円筒体の形状を有し、かつ物体２の周りに配置されている。磁場発生器３も円筒体の形状を有し、かつフェライト７の周りに配置されている。例えばプラスチック材料で作られた支持体８は磁場発生器３をフェライト７に連結させるために使用されており、その全体が物体２に連結された状態であるが、この連結はここには図示されていない。
【００４４】
図９は、強磁性体９があらゆる物体２に位置している本発明に係る一実施形態を示す。物体２は少なくとも部分的に絶縁材１０の層で覆われており、好ましくは加熱先端部を除いて絶縁材１０の層で全体が覆われている。この絶縁材は全ての既存の絶縁材から選択することができ、特にプラスチック材料から選択することができる。この絶縁材は先端部以外の物体２の残りの部分を熱的に絶縁するのを可能にする。従って物体２の先端部のみが熱くなり、物体２全体は熱くならない。物体２の残りの部分と接触する可能性がある皮膚および臓器は加熱されない。
【００４５】
図１０は、装置１が刺鍼法針などの生体適合性の尖った加熱先端部を含み、かつ少なくとも１種の強磁性体９を含む物体２を備える本発明に係る一実施形態の拡大を示す。尖った加熱先端部はシリコーン、ポリテトラフルオロエチレン（テフロン）、親水性ポリマー（好ましくはシリコーン）などの生体適合性材料１１によって囲まれている。
【００４６】
図１１は、装置１が刺鍼法針などの生体適合性の尖った加熱先端部を含み、かつ少なくとも１種の強磁性体９を含む物体２を備える本発明に係る一実施形態の拡大を示す。強磁性体９は物体２全体に存在する。物体２は少なくとも部分的に絶縁材１０の層で覆われており、好ましくは加熱先端部を除いて絶縁材１０の層で全体が覆われている。この絶縁材は全ての既存の絶縁材から選択することができ、特にプラスチック材料から選択することができる。物体２は全体がシリコーン、ポリテトラフルオロエチレン（テフロン）、親水性ポリマーなどの生体適合性材料１１で覆われており、好ましくは生体適合性材料はシリコーンである。
【００４７】
図１２は、本発明に係る一実施形態の装置１の温度を制御するための装置４を示す。本実施形態では、温度を制御するための装置は、物体の先端部の温度を表示するための装置１２および設定値温度を表示するための装置１５、例えば＋ボタンおよび−ボタンなどの設定値温度を決定するための手段１３、およびスイッチ１４を備える。本実施形態では、ユーザは手段１３を使用して設定値温度１４を設定することができる。この設定値温度１５を決定したら、表示するための装置１２によって示される当該物体の先端部の温度は、設定値温度１５に達するまで変わる。物体２の先端部の温度は、温度を制御するための装置４に接続されたここには示されていない例えば温度計または熱電対によって測定することができる。安全上の理由で、ユーザは物体２の先端部の加熱を完全に中断するのを可能にするスイッチ１４によって物体２の先端部の上昇する温度に対する制御を常に維持することができる。このスイッチ１４を使用して、使用の終了時に本発明に係る装置１を停止することもできる。
【００４８】
本明細書の残りに示されている実施形態は、本明細書の全て、特に本出願の図に記載されている実施形態の全てに当てはまる。
【００４９】
加熱先端部
本発明の一実施形態では、物体２の加熱先端部は鋭く、すなわちそれは物質（特に皮膚）を切断するように作用させる側面を有する細長い形状を有する。一実施形態では、加熱先端部はメスの刃またはランセットである。一実施形態では、物体２はメスまたはランセットである。
【００５０】
物体２の加熱先端部が鋭い場合、一実施形態では、加熱先端部の寸法は１〜４０ｍｍ、好ましくは１〜２０ｍｍ、より好ましくは３〜１０ｍｍであってもよい。
【００５１】
物体２の加熱先端部が鋭い場合、一実施形態では、物体２の先端部の厚さは約０．１０ｍｍ〜２．０ｍｍの間で様々である。
【００５２】
本発明の別の実施形態では、物体２の加熱先端部は尖っており、すなわち細長く、かつ円筒状の形状を有し、かつそれは物質（特に皮膚）を穿刺することができる程に十分な細さである。一実施形態では、加熱先端部は針であり、より好ましくは刺鍼法針である。
【００５３】
物体２の加熱先端部が尖っている場合、一実施形態では、加熱先端部の寸法は１〜４０ｍｍ、好ましくは１〜２０ｍｍ、より好ましくは３〜１０ｍｍであってもよい。
【００５４】
物体２の加熱先端部が尖っている場合、一実施形態では、物体２の先端部の直径は約０．１５ｍｍ〜約３．３ｍｍの間で様々である。
【００５５】
本発明に係る装置１の物体２の加熱先端部は、少なくとも１種の強磁性体を含む。一実施形態では、強磁性体は物体２の加熱先端部にのみ存在する。別の実施形態では、強磁性体は物体２全体に存在している。
【００５６】
強磁性体
一実施形態では、強磁性体９は鋼から選択され、好ましくはフェライト系ステンレス鋼、マルテンサイト系ステンレス鋼およびこれらの鋼の混合物から選択される。
【００５７】
一実施形態では、強磁性体９は、マルテンサイト系ステンレス鋼４２０、マルテンサイト系ステンレス鋼４１６、フェライト系ステンレス鋼４３０およびこれらの鋼の混合物から選択される。
【００５８】
一実施形態では、強磁性体９はマルテンサイト系ステンレス鋼４２０である。この材料は強磁性であると共に生体適合性であるという利点を有する。
【００５９】
生体適合性材料
一実施形態では、物体２の加熱先端部は生体適合性材料で覆われている。
【００６０】
一実施形態では、物体２は生体適合性材料で全体が覆われている。
【００６１】
一実施形態では、生体適合性材料はマルテンサイト系ステンレス鋼４２０である。一実施形態では、強磁性体および生体適合性材料は単一かつ同一の化合物、すなわちマルテンサイト系ステンレス鋼４２０である。
【００６２】
別の実施形態では、生体適合性材料はシリコーン、ポリテトラフルオロエチレン（テフロン）または親水性ポリマーであり、好ましくはシリコーンである。
【００６３】
一実施形態では、強磁性体はマルテンサイト系ステンレス鋼４１６であり、かつ生体適合性材料はシリコーンである。
【００６４】
一実施形態では、強磁性体はフェライト系ステンレス鋼４３０であり、かつ生体適合性材料はシリコーンである。
【００６５】
一実施形態では、物体２の加熱先端部は生体適合性材料、例えばシリコーンの層で覆われており、その厚さは１μｍ〜２５μｍの範囲、好ましくは１μｍ〜１０μｍの範囲である。
【００６６】
絶縁材
一実施形態では、物体２は少なくとも部分的に絶縁材１０の層で覆われている。一実施形態では、物体２は加熱先端部を除いて絶縁材１０の層で全体が覆われている。一実施形態では、物体２は、加熱性ディスクが使用されている場合には、本明細書の下に記載されている加熱性ディスクに接触している領域を除いて絶縁材１０の層で全体が覆われている。一実施形態では、物体２は、加熱先端部および、加熱性ディスクが使用されている場合には本明細書の下に記載されている加熱性ディスクに接触している領域を除いて絶縁材１０の層で全体が覆われている。
【００６７】
この絶縁材は全ての既存の絶縁材から選択することができ、特にプラスチック材料から選択することができる。
【００６８】
一実施形態では、物体２は加熱先端部を除いて第１の層を形成している絶縁材１０の層で全体が覆われており、物体２は第２の層を形成している生体適合性材料で全体が覆われている。従って、生体適合性材料は物体２の外側（皮膚または臓器に接触している部分）にあるという理解の下に、加熱先端部には生体適合性材料の１つの層があり、物体２の残りの部分には絶縁材および生体適合性材料の２つの層がある。
【００６９】
一実施形態では、物体２は加熱先端部および、加熱性ディスクが使用されている場合には本明細書の下に記載されている加熱性ディスクに接触している領域を除いて第１の層を形成している絶縁材１０の層で全体が覆われており、かつ物体２は第２の層を形成している生体適合性材料で全体が覆われている。従って、生体適合性材料が物体２の外側（皮膚または臓器に接触している部分）にあるという理解の下に、加熱先端部および本明細書の下に記載されている加熱性ディスクに接触している領域には生体適合性材料の１つの層があり、物体２の残りの部分には絶縁材および生体適合性材料の２つの層がある。
【００７０】
磁場発生器
一実施形態では、磁場発生器３は物体２の周りに配置されている。一実施形態では、磁場発生器３は物体２を取り囲むのに適した中空の円筒体の形態である。一実施形態では、磁場発生器３は物体２が垂直に通される開口部を含む円筒体の形状を有する。一実施形態では、磁場発生器３は物体２が垂直に通される開口部を含む皮膚５に配置するのを目的とした円筒状ローラーの形状を有する。
【００７１】
一実施形態では、磁場発生器３は絶縁性であり、すなわちそれは絶縁材で作られたシェルから形成されている。一実施形態では、磁場発生器３はプラスチック材料で作られたシェルから形成されている。一実施形態では、磁場発生器３はガラスで作られたシェルから形成されている。一実施形態では、磁場発生器３はアルミニウムで作られたシェルから形成されている。
【００７２】
磁場発生器３が皮膚５に配置するのを目的とした円筒状ローラーの形状を有する場合、一実施形態では、前記ローラーは加熱性であり、すなわちそれは一般に伝導体で作られたシェルから形成されている。一実施形態では、前記ローラーは伝導性金属で作られたシェルから形成されている。一実施形態では、伝導性金属は物体２の加熱先端部のものと同じである。一実施形態では、伝導性金属は物体２のものと同じである。
【００７３】
一実施形態では、磁場発生器３は物体２に固定されていない。
【００７４】
一実施形態では、磁場発生器３は１０ｍｍ〜１００ｍｍ、好ましくは２０ｍｍ〜８０ｍｍの範囲の直径を有する。一実施形態では、磁場発生器３は０．１ｍｍ〜５０ｍｍ、好ましくは０．５ｍｍ〜２５ｍｍの範囲の厚さを有する。一実施形態では、磁場発生器３の開口部は０．１ｍｍ〜１０ｍｍ、好ましくは０．１ｍｍ〜５ｍｍの範囲の直径を有する。
【００７５】
一実施形態では、磁場発生器３は交流が通る伝導性コイルを備える。
【００７６】
一実施形態では、当該コイルは５ｍｍ〜５０ｍｍの範囲、好ましくは５ｍｍ〜３０ｍｍの範囲の直径を有する。一実施形態では、当該コイルは１０ｍｍ〜１００ｍｍの範囲、好ましくは２０ｍｍ〜５０ｍｍの範囲の長さを有する。一実施形態では、当該コイルは５０〜１０００の範囲、好ましくは１００〜１０００の範囲の巻数を含む。
【００７７】
一実施形態では、当該コイルは銅ワイヤから形成されている。
【００７８】
一実施形態では、磁場発生器３は０．０１〜５Ｔ、好ましくは０．１〜１Ｔの範囲の強度の磁場を生成する。
【００７９】
一実施形態では、磁場発生器３は本明細書の上に記載されているようないくつかのコイルを備える。一実施形態では、磁場発生器３は本明細書の上に記載されているような２つのコイルを備える。一実施形態では、磁場発生器３は、本明細書の上に記載されているような３つのコイルを備える。一実施形態では、磁場発生器３は本明細書の上に記載されているような４つのコイルを備える。これらの各種コイルは、本発明の装置の温度を制御するための装置によって別々に制御することができ、これは一方で温度の制御をさらに精密にし、かつ他方で広範囲の温度をカバーするのを可能にする。従って、これらの各種コイルは必要に従って別々に作動させることができる。
【００８０】
一実施形態では、磁場発生器は周期的に作動させることができる。従って磁場発生器は、例えば周期的プログラムまたは前もって確立されたプログラムに従って物体２の先端部の加熱および冷却の周期を生じるのを可能にする。一実施形態では、磁場発生器は周波数変調器と共に提供される。
【００８１】
一実施形態では、本発明の装置の温度を制御するための装置は、磁場発生器に接続されており、かつ当該物体の先端部の温度および設定値温度に従って磁場発生器を制御する。
【００８２】
一実施形態では、本発明の装置の温度を制御するための装置は、磁場発生器に接続されており、かつａ）当該物体の先端部の温度を表示するための装置、ｂ）設定値温度を決定するための手段、およびｃ）当該物体の先端部の温度が設定値温度に等しくなるように磁場発生器を制御するための装置を備える。
【００８３】
別の実施形態では、本発明の装置の温度を制御するための装置は、磁場発生器に接続されており、かつａ）当該物体の先端部の温度を表示するための装置、および加熱性ディスクが使用されている場合には本明細書の下に記載されている加熱性ディスク上の温度を表示するための別の装置、ｂ）設定値温度を決定するための手段、およびｃ）当該物体の先端部の温度および、加熱性ディスクが使用されている場合には本明細書の下に記載されている加熱性ディスク上の温度が設定値温度に等しくなるように磁場発生器を制御するための装置を備える。
【００８４】
フェライト
一実施形態では、磁場発生器３は磁場を物体２の長手軸に沿って導くように配置されたフェライト７をさらに含む。
【００８５】
一実施形態では、フェライトは物体２を取り囲むのに適した中空の円筒体の形態を有する。
【００８６】
ディスク
一実施形態では、装置１は物体２が垂直に通される開口部を含む皮膚５に配置するのを目的とした断熱性もしくは加熱性ディスク６をさらに備える。
【００８７】
一実施形態では、ディスク６は絶縁性であり、すなわちそれは絶縁材から形成されている。一実施形態では、ディスク６はプラスチック材料から形成されている。一実施形態では、ディスク６はガラスから形成されている。
【００８８】
別の実施形態ではディスク６は加熱性であり、すなわちそれは一般に伝導体から形成されている。一実施形態では、ディスク６は伝導性金属から形成されている。一実施形態では、伝導性金属は物体２の加熱先端部のものと同じである。一実施形態では、伝導性金属は物体２のものと同じである。
【００８９】
一実施形態では、ディスク６は１０ｍｍ〜１００ｍｍ、好ましくは２０ｍｍ〜８０ｍｍの範囲の直径を有する。一実施形態では、ディスク６は０．１ｍｍ〜５ｍｍ、好ましくは０．５ｍｍ〜２ｍｍの範囲の厚さを有する。一実施形態では、ディスク６の開口部は０．１ｍｍ〜１０ｍｍ、好ましくは０．１ｍｍ〜５ｍｍの範囲の直径を有する。
【００９０】
美容的使用
一実施形態では、本発明の装置１は、小じわ、クマおよび表面のセルライトの治療で使用される。本実施形態では、本発明の装置の温度を制御するための装置は、物体２の先端部の温度が一般に４０℃〜５０℃、好ましくは４０℃〜４２℃であり、より好ましくは約４１．５℃に等しくなるように構成されている。
【００９１】
治療的使用
一実施形態では、本発明の装置１は静脈瘤の治療で使用される。本実施形態では、本発明の装置の温度を制御するための装置は、物体２の先端部の温度が一般に４０℃〜５０℃、好ましくは４０℃〜４２℃であり、より好ましくは約４１．５℃に等しくなるように構成されている。
【００９２】
別の実施形態では、本発明の装置１は、脊椎痛臨床設定に関連する症候群およびこれらの各種臨床設定に関連する疼痛、特に腰痛または慢性頚部痛およびそれらの投射痛の治療で使用される。本実施形態では、本発明の装置の温度を制御するための装置は、物体２の先端部の温度が一般に７５℃〜９５℃であり、より好ましくは８０℃〜９０℃であるように構成されている。
【００９３】
一実施形態では、本発明の装置１は高周波技術（または髄核形成術（ｎｕｃｌｅｏｐｌａｓｔｙ））の代わりとして使用される。一実施形態では、本発明の装置１は脚の高周波技術の代わりとして使用される。本実施形態では、本発明の装置の温度を制御するための装置は、物体２の先端部の温度が１００℃〜２００℃、より好ましくは１００℃〜１３０℃であるように構成されている。
【００９４】
一実施形態では、本発明の装置１は酸素−オゾン髄核融解術（ｏｘｙｇｅｎ−ｏｚｏｎｅ  ｎｕｃｌｅｏｌｙｓｉｓ）などの熱治療またはホルミウム・ヤグレーザーによる経皮的椎間板切除術のためのレーザーの使用の代わりとして使用される。これらの２つの技術は、例えばＡ  Ｇａｎｇｉ氏，Ｊ．Ｌ．Ｄｉｅｔｅｍａｎｎ氏，Ｊ．Ｐ．Ｓｔｅｉｂ氏、Ｘ．Ｂｕｙ氏およびＰ．Ｌａｕｒｅｎｔ氏からなる陪審員による「経皮的経路による坐骨神経痛の治療：１５つの症例に関する高周波による髄核形成術の関心（Ｔｒｅａｔｍｅｎｔ  ｏｆ  ｓｃｉａｔｉｃａ  ｖｉａ  ｔｈｅ  ｐｅｒｃｕｔａｎｅｏｕｓ  ｒｏｕｔｅ：ｉｎｔｅｒｅｓｔ  ｏｆ  ｎｕｃｌｅｏｐｌａｓｔｙ  ｖｉａ  ｒａｄｉｏｆｒｅｑｕｅｎｃｙ，ｃｏｎｃｅｒｎｉｎｇ  １５  ｃａｓｅｓ）」という名称の２００４年６月２１日に擁護されたＤａｎｉｅｌ  ＳＰＡＥＴＥＲの論文に記載されている。
【００９５】
一実施形態では、本発明の装置１は特定の癌、特に癌の固形腫瘍の治療で使用することができる。
【００９６】
一実施形態では、本発明の装置１は電気ランセットの代わりとして使用される。本実施形態では、加熱物体の先端部は一般に鋭い。
【００９７】
様々な実施形態について説明および図示してきたが、詳細な説明は後者を限定するものとしてみなされるべきではない。特許請求の範囲によって定めているような本開示の真の趣旨および範囲から離れることなく当業者によって当該実施形態に対して様々な修正を行うことができる。
【００９８】
符号
１：装置
２：加熱先端部を含む物体
３：磁場発生器
４：物体の加熱先端部の温度を制御するための装置
５：皮膚
６：ディスク
７：フェライト
８：支持体
９：強磁性体
１０：絶縁材
１１：生体適合性材料
１２：物体の先端部の温度を表示するための装置
１３：設定値温度を決定するための手段
１４：スイッチ
１５：設定値温度を表示するための装置
【図１】
2021530336.tif 000003
【図２】
2021530336.tif 000004
【図３】
2021530336.tif 000005
【図４】
2021530336.tif 000006
【図５】
2021530336.tif 000007
【図６】
2021530336.tif 000008
【図７】
2021530336.tif 000009
【図８】
2021530336.tif 000010
【図９】
2021530336.tif 000011
【図１０】
2021530336.tif 000012
【図１１】
2021530336.tif 000013
【図１２】
2021530336.tif 000014
【国際調査報告】
2021530336.tif 000015
2021530336.tif 000016
2021530336.tif 000017
2021530336.tif 000018